(57)【要約】【課題】既設擁壁を十分に補強でき、且つ施工性にも優れた画期的な擁壁の補修又は補強工法を提供することを目的とする。【解決手段】前記既設擁壁１の下部に下部基礎部材３、上部に上部基礎部材４を設置し、この下部基礎部材３と上部基礎部材４との間に正面開口部７と上面開口部10を有する補強部材５を既設擁壁１との間に隙間６を設けて架設し、この架設した補強部材５の正面開口部７の下端側からパネル部材８を取り付ける毎にパネル部材８と既設擁壁１との間の隙間６を充填部材９で埋め、上端部のパネル部材８を取り付けた後、上面開口部10から充填部材９を充填して残りの既設擁壁１と補強部材５との間の隙間６を埋め、既設擁壁１上に新設擁壁２を形成する擁壁の補修又は補強工法。【選択図】図４
2015021306.tif 000002
【特許請求の範囲】
【請求項１】
正面部と上面部を有する既設擁壁を補修又は補強するために、前記既設擁壁の前記正面部及び前記上面部に新設擁壁を形成する擁壁の補修又は補強工法であって、前記既設擁壁の下部に配設する下部基礎部材を設置すると共に前記既設擁壁の上部に配設する上部基礎部材を設置し、この下部基礎部材と上部基礎部材との間に、前記既設擁壁の正面部に配設される正面補強部材と前記既設擁壁の上面部に配設される上面補強部材とから成る側面視屈曲形状の補強部材を前記既設擁壁の表面との間に隙間を設けて架設し、この架設した補強部材の前記正面補強部材に設けた正面開口部の下端側をパネル部材で閉塞し、このパネル部材の上方側の正面開口部から、前記既設擁壁の正面部と前記パネル部材との間の隙間に充填部材を、前記正面開口部からこの充填部材が溢れ出ない高さ位置まで充填し、前記正面開口部上端側をパネル部材で閉塞して前記正面開口部全面を閉塞し、前記上面補強部材に設けた上面開口部から、前記既設擁壁の正面部と前記パネル部材との間の隙間及び前記既設擁壁の上面部と前記上面補強部材との間の隙間に充填部材を充填して、前記既設擁壁と前記補強部材との間の隙間を前記充填部材で充填し、この既設擁壁上に前記新設擁壁を形成することを特徴とする擁壁の補修又は補強工法。
【請求項２】
前記既設擁壁の下部に複数の前記下部基礎部材を、前記既設擁壁の幅方向に沿って並設すると共に、前記既設擁壁の上部に複数の前記上部基礎部材を、前記既設擁壁の幅方向に沿って並設し、対となる夫々の前記下部基礎部材と前記上部基礎部材との間に前記補強部材を架設して、前記既設擁壁の幅方向に沿って複数の前記補強部材を並設することを特徴とする請求項１記載の擁壁の補修又は補強工法。
【請求項３】
前記下部基礎部材及び前記上部基礎部材の夫々に、前記正面補強部材及び前記上面補強部材を位置決めする位置決め部を設けたことを特徴とする請求項１，２のいずれか１項に記載の擁壁の補修又は補強工法。
【発明の詳細な説明】
【技術分野】
【０００１】
本発明は、既設擁壁を補修又は補強する際に用いる擁壁の補修又は補強工法に関するものである。
【背景技術】
【０００２】
経年劣化等により補修や補強工事が必要となった既設擁壁に対して、この既設擁壁上に新たな擁壁を形成することで、この既設擁壁を補修又は補強する工法が用いられている。
【０００３】
この既設擁壁上に新設擁壁を形成する工法としては、例えば、特許文献１に示すような工法がある。
【０００４】
この特許文献１の補強工法（以下、従来工法）は、既設擁壁にアンカーを設け、このアンカーに格子状に形成した支持鋼を設け、この支持鋼を基台にして擁壁パネルを既設擁壁の前面に積み上げ状態で設置した後、この擁壁パネルと既設擁壁との間の隙間にコンクリートを打設して、既設擁壁上に新設擁壁を形成するものである。
【先行技術文献】
【特許文献】
【０００５】
【特許文献１】特開平６−１３６７７１号公報
【発明の概要】
【発明が解決しようとする課題】
【０００６】
しかしながら、この従来工法では、劣化した既設擁壁を基礎代わりにして、この既設擁壁にアンカーを設ける工法であるため、アンカーの固定強度の信頼性が低く、また、重量のある大きな擁壁パネルを何段も積み上げるため、施工性が悪く、更に、既設擁壁との隙間にコンクリートを打設する際も、上部にできた既設擁壁と擁壁パネルとの間の僅かな幅の開口部からコンクリートを充填するので、奥側（底側）にコンクリートがきれいに入り込まず、コンクリート未充填部分が形成され、強度不足が生じる懸念点もあった。
【０００７】
本発明は、このような従来工法が有する問題点を鑑み、既設擁壁を十分に補強でき、且つ施工性にも優れた画期的な擁壁の補修又は補強工法を提供することを目的とする。
【課題を解決するための手段】
【０００８】
添付図面を参照して本発明の要旨を説明する。
【０００９】
正面部と上面部を有する既設擁壁１を補修又は補強するために、前記既設擁壁１の前記正面部及び前記上面部に新設擁壁２を形成する擁壁の補修又は補強工法であって、前記既設擁壁１の下部に配設する下部基礎部材３を設置すると共に前記既設擁壁１の上部に配設する上部基礎部材４を設置し、この下部基礎部材３と上部基礎部材４との間に、前記既設擁壁１の正面部に配設される正面補強部材５Ａと前記既設擁壁１の上面部に配設される上面補強部材５Ｂとから成る側面視屈曲形状の補強部材５を前記既設擁壁１の表面との間に隙間６を設けて架設し、この架設した補強部材５の前記正面補強部材５Ａに設けた正面開口部７の下端側をパネル部材８で閉塞し、このパネル部材８の上方側の正面開口部７から、前記既設擁壁１の正面部と前記パネル部材８との間の隙間６に充填部材９を、前記正面開口部７からこの充填部材９が溢れ出ない高さ位置まで充填し、前記正面開口部７上端側をパネル部材８で閉塞して前記正面開口部７全面を閉塞し、前記上面補強部材５Ｂに設けた上面開口部10から、前記既設擁壁１の正面部と前記パネル部材８との間の隙間６及び前記既設擁壁１の上面部と前記上面補強部材５Ｂとの間の隙間６に充填部材９を充填して、前記既設擁壁１と前記補強部材５との間の隙間６を前記充填部材９で充填し、この既設擁壁１上に前記新設擁壁２を形成することを特徴とする擁壁の補修又は補強工法に係るものである。
【００１０】
また、前記既設擁壁１の下部に複数の前記下部基礎部材３を、前記既設擁壁１の幅方向に沿って並設すると共に、前記既設擁壁１の上部に複数の前記上部基礎部材４を、前記既設擁壁１の幅方向に沿って並設し、対となる夫々の前記下部基礎部材３と前記上部基礎部材４との間に前記補強部材５を架設して、前記既設擁壁１の幅方向に沿って複数の前記補強部材５を並設することを特徴とする請求項１記載の擁壁の補修又は補強工法に係るものである。
【００１１】
また、前記下部基礎部材３及び前記上部基礎部材４の夫々に、前記正面補強部材５Ａ及び前記上面補強部材５Ｂを位置決めする位置決め部11を設けたことを特徴とする請求項１，２のいずれか１項に記載の擁壁の補修又は補強工法に係るものである。
【発明の効果】
【００１２】
本発明は上述のようにしたから、既設擁壁を十分に補強でき、且つ施工性にも優れた画期的な擁壁の補修又は補強工法となる。
【００１３】
即ち、本発明は、従来のように、既設擁壁を基礎にせず、既設擁壁の上部と下部とに夫々新たな基礎部材を設け、これを基礎として補強部材を設けたので、新設擁壁となる補強部材を安定且つ強固に設けることができ、よって、既設擁壁上に強度に優れた新設擁壁を形成してこの既設擁壁を補強することができる。
【００１４】
しかも、本発明は、この補強部材を形成する正面補強部材と上面補強部材との夫々に開口部を設けて、これら正面補強部材と上面補強部材とを軽量化したので、施工時にこれら正面補強部材及び上面補強部材の運搬・設置作業を容易に行うことができるようになり施工性が向上する。
【００１５】
更に、正面補強部材に設けた正面開口部を、この正面補強部材と既設擁壁との間の隙間を埋める充填部材を充填する際の注入口として利用するので、充填部材を隙間に注入し易くなり、未充填部分を生じさせることなく隙間に充填部材を充填することができ、未充填部の無い高強度で耐久性に優れた新設擁壁を形成することができる画期的な擁壁の補修又は補強工法となる。
【００１６】
また、請求項２，３記載の発明においては、より一層施工性に優れた画期的な擁壁の補修又は補強工法となる。
【図面の簡単な説明】
【００１７】
【図１】本実施例の施工手順１を示す説明図である。
【図２】本実施例の施工手順２を示す説明図である。
【図３】本実施例のパネル部材の取付け作業説明図である。
【図４】本実施例の施工手順３を示す説明図である。
【図５】図４の側断面図である。
【図６】本実施例の施工手順４を示す説明図である。
【図７】本実施例の施工手順５を示す説明図である。
【図８】本実施例の新設擁壁形成状態を示す斜視図である。
【図９】本実施例の施工完了状態を示す側断面図である。
【発明を実施するための形態】
【００１８】
好適と考える本発明の実施形態を、図面に基づいて本発明の作用を示して簡単に説明する。
【００１９】
本発明は、既設擁壁を基礎する従来工法とは異なり、補修又は補強対象の既設擁壁１の下部（例えば下部側の地盤）に下部基礎部材３を設置し、既設擁壁１の上部（例えば上部側の地盤若しくは既設擁壁１の基礎）に上部基礎部材４を設置して、既設擁壁１の上部及び下部に新設擁壁２用の新たな基礎を設置し、この下部基礎部材３と上部基礎部材４との間に補強部材５を架設するので、補強部材５を強固に固定することができ、補強部材５の固定強度の信頼性が向上する。
【００２０】
また、本発明は、補強部材５を構成する正面補強部材５Ａに正面開口部７を設け、上面補強部材５Ｂに上面開口部10を設けて、これら正面補強部材５Ａ、上面補強部材５Ｂの軽量化を図っているので、補強部材５を下部基礎部材３と上部基礎部材４との間に架設する際、この補強部材５の運搬、設置作業を容易に行うことができ、作業性（施工性）が向上する。
【００２１】
また、この下部基礎部材３、上部基礎部材４間に架設した補強部材５と既設擁壁１との間に設けた隙間６に充填部材９を充填する際、正面補強部材５Ａの正面開口部７をパネル部材８で閉塞してから充填部材９を充填するが、本発明は、先ず、正面補強部材５Ａに設けた正面開口部７の下端部を含む一部をパネル部材８で閉塞し、このパネル部材８の上方の開口している正面開口部７から例えばパネル部材８の高さまで充填部材９を充填するので、低い位置から、且つ広い開口部から充填作業を行うことができるので、底部隅など充填し難い個所にも充填部材９をきちんと充填することができる。
【００２２】
また、正面補強部材５Ａの正面開口部７の上端側をパネル部材８で閉塞した後の充填部材９の充填作業も、上面補強部材５Ｂに設けた広い開口部の上面開口部10から充填部材９を充填するので、充填作業がし易く、既設擁壁１と正面補強部材５Ａの上部側との間の隙間６及び既設擁壁１と上面補強部材５Ｂとの間の隙間６に、確実に充填部材９を充填することができ、充填部材９の未充填による強度低下を招く恐れも無く、高強度で耐久性に優れた新設擁壁２を形成することができる画期的な擁壁の補修又は補強工法となる。
【実施例】
【００２３】
本発明の具体的な実施例について図面に基づいて説明する。
【００２４】
本実施例は、正面部と上面部を有する既設擁壁１を補修又は補強するために、既設擁壁１の正面部及び上面部に新設擁壁２を形成する擁壁の補修又は補強工法である。
【００２５】
具体的には、既設擁壁１の下部に配設する下部基礎部材３を設置すると共に既設擁壁１の上部に配設する上部基礎部材４を設置し、この下部基礎部材３と上部基礎部材４との間に、既設擁壁１の正面部に配設される正面補強部材５Ａと既設擁壁１の上面部に配設される上面補強部材５Ｂとから成る側面視屈曲形状の補強部材５を既設擁壁１の表面との間に隙間６を設けて架設し、この架設した補強部材５の正面補強部材５Ａに設けた正面開口部７の下端側をパネル部材８で閉塞し、このパネル部材８の上方側の正面開口部７から、既設擁壁１の正面部とパネル部材８との間の隙間６に充填部材９を、正面開口部７からこの充填部材９が溢れ出ない高さ位置まで充填し、正面開口部７上端側をパネル部材８で閉塞して正面開口部７全面を閉塞し、上面補強部材５Ｂに設けた上面開口部10から、既設擁壁１の正面部とパネル部材８との間の隙間６及び既設擁壁１の上面部と上面補強部材５Ｂとの間の隙間６に充填部材９を充填する擁壁の補修又は補強工法である。
【００２６】
先ず、本実施例に用いる各部材について説明する。
【００２７】
本実施例では、下部基礎部材３、上部基礎部材４、補強部材５（正面補強部材５Ａ、上面補強部材５Ｂ）、パネル部材８、小口止め部材12（正面小口止め部材12Ａ、上面小口止め部材12Ｂ）を用い、これら部材は、予め工場等で成形したプレキャスト部材である。
【００２８】
本実施例の下部基礎部材３及び上部基礎部材４は夫々、補強部材５若しくは小口止め部材12との係合部（係合面）に位置決め部11を設けた構成としている。
【００２９】
この位置決め部11は、前記係合部(係合面）に設けたピン嵌入孔11Ａに鋼製のガイドピン11Ｂを嵌挿して形成した構成とし、本実施例では、図１に示すように、補強部材５を固定する下部基礎部材３及び上部基礎部材４は位置決め部11を二か所に設け、小口止め部材12を固定する下部基礎部材３及び上部基礎部材４は位置決め部11を四か所に設けた構成としている。
【００３０】
また、本実施例の補強部材５は、正面補強部材５Ａと上面補強部材５Ｂとから成る構成としている。
【００３１】
正面補強部材５Ａは、図２に示すように、縦長方形状の正面開口部７を設けた縦長方形枠状に形成し、上端部に後述する上面補強部材５Ｂと係合する正面部側係合部13を設けると共に、既設擁壁１との間の隙間６を形成するための脚部14を既設擁壁１に沿設した際の既設擁壁１側となる方向に突設し、底部に下部基礎部材３の位置決め部11と係合する係合孔15を設けた構成としている。
【００３２】
また、正面補強部材５Ａは、正面開口部７の左右両縁部、言い換えると、正面補強部材５Ａの縦枠部材の内側面にパネル部材８を取り付けるパネル部材取付部16を設けた構成とし、本実施例では、このパネル部材取付部16を、帯板状に形成し、パネル部材８を固定する固定ボルト17を螺着する螺着部18を長さ方向に沿って複数並設した構成としている。
【００３３】
また、上面補強部材５Ｂと係合する上面部材係合部13は、手前側に凹部13Ａを形成し、この凹部13Ａに上面補強部材５Ｂが噛み合わせ係合する構成としている。
【００３４】
また、本実施例の上面補強部材５Ｂは、図２に示すように、略方形状に形成した板状ブロックに横長方形状の上面開口部10を設けると共に、先端部に上述した正面補強部材５Ａと係合する上面部側係合部19を下方に向けて突設して側面視への字状に形成した構成とし、本実施例では、この上面部側係合部19の先端部の手前側に正面部側係合部13の凹部13Ａと係合する凸部19Ａを設けて、この凸部19Ａが正面補強部材５Ａの正面部側係合部13（凹部13Ａ）と噛み合わせ係合する構成としている。
【００３５】
また、この上面補強部材５Ｂは、基端部側に上部基礎部材４の位置決め部11と係合する係合孔20を設けた構成としている。
【００３６】
また、本実施例のパネル部材８は、図３に示すように、方形板状に形成し、四隅に固定ボルト17を挿通するボルト挿通孔21を設けた構成としている。
【００３７】
また、本実施例の小口止め部材12は、図２に示すように、正面小口止め部材12Ａと上面小口止め部材12Ｂとから成る構成としている。
【００３８】
正面小口止め部材12Ａは、側面形状を、正面補強部材５Ａの側面形状に合致し、且つこの正面補強部材５Ａを設置した際に形成される側面開口部を閉塞し得る形状に形成した柱状に形成し、上端部に後述する上面小口止め部材12Ｂと係合する凹部22Ａを有する係合受部22を設け、底部に下部基礎部材３の位置決め部11と係合する係合孔を設けた構成としている。
【００３９】
また、上面小口止め部材12Ｂは、上面補強部材５Ｂの側面形状に合致し、且つこの上面補強部材５Ｂを設置した際に形成される側面開口部を閉塞し得る形状に形成し、先端部に正面小口止め部材12Ａの係合受部22の凹部22Ａと係合する凸部23Ａを有する係合部23を設けて、この係合部23と正面小口止め部材12Ａの係合受部22とが噛み合わせ係合するように構成すると共に、基端側に上部基礎部材４の位置決め部11と係合する係合孔24を設けた構成としている。
【００４０】
次に、本実施例の施工手順について説明する。
【００４１】
先ず、補修又は補強対象の既設擁壁１の下部側地盤25に下部基礎部材３を設置し、既設擁壁１の上部側地盤26に上部基礎部材４を設置する。
【００４２】
具体的には、図１に示すように、下部側地盤25と既設擁壁１の下端部との境界部に、既設擁壁１の幅方向に沿って凹溝27を形成し、この凹溝27に下部基礎部材３を既設擁壁１の幅方向に沿って並設し、上部基礎部材４をこの下部側地盤25に並設した下部基礎部材３と対向するようにして並設する（施工手順１）。
【００４３】
次いで、各下部基礎部材３と上部基礎部材４との間に補強部材５を架設する。
【００４４】
具体的には、図２に示すように、既設擁壁１の正面部に正面補強部材５Ａを配設し、既設擁壁１の上面部に上面補強部材５Ｂを配設する（施工手順２）。
【００４５】
より具体的に説明すると、先ず、正面補強部材５Ａの底部に設けた係合孔15を下部基礎部材３の位置決め部11（ガイドピン11Ｂ）と係合させて、正面補強部材５Ａを下部基礎部材３に位置決め状態で設置すると共に、脚部14を既設擁壁１に当接させて、この正面補強部材５Ａを既設擁壁１の正面部との間に隙間６を設けて立て掛け状態に設置する。
【００４６】
次いで、上面補強部材５Ｂの基端部側に設けた係合孔20を上部基礎部材４の位置決め部11（ガイドピン11Ｂ）と係合させて、上面補強部材５Ｂを上部基礎部材４に位置決め状態で設置すると共に、この上面補強部材５Ｂの先端部に設けた上面部側係合部19を正面補強部材５Ａの上端部に設けた正面部側係合部13と係合して、この上面補強部材５Ｂを既設擁壁１の上面部との間に隙間６を設けて設置する。
【００４７】
この際、本実施例は、正面補強部材５Ａの正面部側係合部13の手前側に設けた凹部13Ａに、上面補強部材５Ｂの上面部側係合部19の手前側に設けた凸部19Ａが噛み合わせ係合するので、正面補強部材５Ａは、上面補強部材５Ｂによって既設擁壁１から離反する方向への傾倒が抑制されて、立て掛け状態であっても傾倒不能状態に設置されることとなる。
【００４８】
このようにして夫々の下部基礎部材３と上部基礎部材４との間に補強部材５を架設した後、既設擁壁１の右側端部と左側端部の夫々に架設した補強部材５の側面側に形成された開口部を閉塞するため、この既設擁壁１の右側端部と左側端部の夫々に架設した補強部材５の側面側に小口止め部材12を配設する。
【００４９】
具体的には、先ず、正面小口止め部材12Ａの底部に設けた係合孔を下部基礎部材３の位置決め部11（ガイドピン11Ｂ）と係合させて、正面小口止め部材12Ａを下部基礎部材３に位置決め状態で設置して、この正面小口止め部材12Ａを既設擁壁１の正面部に立て掛け状態に設置する。
【００５０】
次いで、上面小口止め部材12Ｂの基端部側に設けた係合孔24を上部基礎部材４の位置決め部11（ガイドピン11Ｂ）と係合させて、上面小口止め部材12Ｂを上部基礎部材４に位置決め状態で設置すると共に、この上面小口止め部材12Ｂの先端部に設けた係合部23を正面小口止め部材12Ａの上端部に設けた係合受部22と係合して、この上面小口止め部材12Ｂを既設擁壁１の上面部に設置する。
【００５１】
この際、本実施例は、正面小口止め部材12Ａの係合受部22の手前側に設けた凹部22Ａに、上面小口止め部材12Ｂの係合部23の手前側に設けた凸部23Ａが噛み合わせ係合するので、正面小口止め部材12Ａは、正面補強部材５Ａ同様、上面小口止め部材12Ｂによって既設擁壁１から離反する方向への傾倒が抑制されて、立て掛け状態であっても傾倒不能状態に設置されることとなる。
【００５２】
各下部基礎部材３、上部基礎部材４間に補強部材５、小口止め部材12の架設が終了したら、次に、この既設擁壁１と補強部材５との間に設けた隙間６を埋めるため、この隙間６に充填部材９（例えばコンクリート）を充填する。
【００５３】
この充填部材９を充填する際は、先ず、正面補強部材５Ａの下端側に一段目のパネル部材８を取り付け、正面開口部７の下端部を含む一部を閉塞する。
【００５４】
パネル部材８は、図３に示すように、正面開口部７の左右内縁に設けたパネル部材取付部16にパネル部材８を押し当て、このパネル部材８の四隅に設けた各ボルト挿通孔21に固定ボルト17を挿通し、パネル部材取付部16に設けた螺着部18に螺着し固定する。
【００５５】
各補強部材５に一段目のパネル部材８を取り付けたら、図４，５に示すように、この一段目のパネル部材８の上方側の正面開口部７からこのパネル部材８の上端高さ位置まで充填部材９を充填する（施工手順３）。
【００５６】
既設擁壁１と一段目のパネル部材８との間の隙間６の充填作業を終えたら、図６に示すように、二段目のパネル部材８を取り付け、一段目と同様、この二段目のパネル部材８の上端高さ位置まで充填部材９を充填する（施工手順４）。
【００５７】
この下端側から一段ずつパネル部材８を取り付けては、この取り付けたパネル部材８の上端高さ位置まで充填部材９を充填する作業を上端部のパネル部材８を取り付ける一つ手前まで繰り返し行う。
【００５８】
本実施例では、正面補強部材５Ａの正面開口部７を四枚のパネル部材８で閉塞するので、三段目まで上記作業を繰り返し行う。
【００５９】
そして、上端部の一つ手前のパネル部材８（本実施例では三段目）の充填部材９の充填作業が終了したら、上端部（本実施例では、四段目）のパネル部材８を取り付けて、正面補強部材５Ａの正面開口部７を完全閉塞状態にする。
【００６０】
この上端部のパネル部材８を取り付けたら、図７に示すように、上面補強部材５Ｂに設けた上面開口部10から充填部材９を充填して、既設擁壁１の正面部と上端部のパネル部材８との間の隙間６及び既設擁壁１の上面部と上面補強部材５Ｂとの間の隙間６を埋める（施工手順５）。
【００６１】
図８は、既設擁壁１上に新設擁壁２を形成した状態を示すもので、上面補強部材５Ｂの係合孔20及び上面小口止め部材12Ｂの係合孔24には、グラウト材を注入している。
【００６２】
最後に、図９に示すように、下部側地盤25に設けた凹溝27の隙間を埋め、上面補強部材５Ｂと上部側地盤26とに生じた段差を埋め施工完了となる。
【００６３】
尚、本実施例は、図示したように、既設擁壁１を幾つかのエリアに分けて、このエリア毎に新設擁壁２を形成してゆく施工方法の場合であるが、エリア分けせず、既設擁壁１の全面に対して一気に新設擁壁２を形成してゆく施工方法でも良い。
【００６４】
このように、本実施例は、既設擁壁を基礎する従来工法とは異なり、補修又は補強対象の既設擁壁１の下部側地盤25に下部基礎部材３を設置し、既設擁壁１の上部側地盤26に上部基礎部材４を設置して、新設擁壁２用の新たな基礎部材を設置し、この下部基礎部材３と上部基礎部材４との間に補強部材５を架設するので、補強部材５を強固に固定することができ、補強部材５の固定強度の信頼性が向上する。
【００６５】
また、本実施例は、補強部材５を構成する正面補強部材５Ａに正面開口部７を設け、上面補強部材５Ｂに上面開口部10を設けて、これら正面補強部材５Ａ、上面補強部材５Ｂの軽量化を図っているので、補強部材５を下部基礎部材３と上部基礎部材４との間に架設する際、この補強部材５の運搬、設置作業を容易に行うことができ、作業性（施工性）が向上する。
【００６６】
更に、本実施例は、既設擁壁１と補強部材５との間の隙間６に充填部材９を充填する際、下端側からパネル部材８を一段取り付ける毎に、この取り付けたパネル部材８の上方の開口している正面開口部７から、この取り付けたパネル部材８の上端高さ位置まで充填部材９を充填するので、充填深さが浅く、しかも、充填作業の間口が広いので、充填作業がし易くなり、また、充填部材９を注入する注入ホースを奥まで挿入できるので、充填部材９の未充填部分の発生を可及的に低減することができ、充填部材９の未充填による強度低下を招く恐れも無く、高強度で耐久性に優れた新設擁壁２を形成することができる画期的な擁壁の補修又は補強工法となる。
【００６７】
尚、本発明は、本実施例に限られるものではなく、各構成要件の具体的構成は適宜設計し得るものである。
【符号の説明】
【００６８】
１  既設擁壁
２  新設擁壁
３  下部基礎部材
４  上部基礎部材
５  補強部材
５Ａ  正面補強部材
５Ｂ  上面補強部材
６  隙間
７  正面開口部
８  パネル部材
９  充填部材
10  上面開口部
11  位置決め部
【図１】
2015021306.tif 000003
【図２】
2015021306.tif 000004
【図３】
2015021306.tif 000005
【図４】
2015021306.tif 000006
【図５】
2015021306.tif 000007
【図６】
2015021306.tif 000008
【図７】
2015021306.tif 000009
【図８】
2015021306.tif 000010
【図９】
2015021306.tif 000011